(57)【要約】      （修正有）【課題】磁石構造体と該磁石構造体との磁気的吸着面を有するキーパーとからなる歯科用磁性アタッチメントを用いた義歯の製作において、根面板または歯冠外アタッチメントの蝋型をワックスアップする段階で、サベヤーを用いてキーパー対応ハウジングパターンを前記蝋型の所定位置に装着するのに好適な歯科用治具を提供する。【解決手段】磁石構造体と該磁石構造体との磁気的吸着面を有するキーパーとからなる歯科用磁性アタッチメントを用いた義歯の製作において、根面板または歯冠外アタッチメントの蝋型をワックスアップする段階で、サベヤーを用いてキーパー対応ハウジングパターンを蝋型に装着するための歯科用治具１であって、キーパー対応ハウジングパターンの凹部に嵌入する嵌入部２と、嵌入部から上方に延設された柱状部３とをする。【選択図】図１
0003109987.tif 000002
【実用新案登録請求の範囲】
【請求項１】
磁石構造体と該磁石構造体との磁気的吸着面を有するキーパーとからなる歯科用磁性アタッチメントを用いた義歯の製作において、根面板または歯冠外アタッチメントの蝋型をワックスアップする段階で、サベヤーを用いてキーパー対応ハウジングパターンを前記蝋型に装着するための歯科用治具であって、
前記キーパー対応ハウジングパターンの凹部に嵌入する嵌入部と、
該嵌入部から上方に延設された柱状部とを具備してなることを特徴とする歯科用治具。
【請求項２】
前記嵌入部の上平面の中央から前記柱状部が垂直に延設されてなることを特徴とする請求項１記載の歯科用治具。
【請求項３】
前記嵌入部は板状であって、厚さがキーパーの厚さに相当するものであることを特徴とする請求項２記載の歯科用治具。
【請求項４】
前記柱状部には、前記嵌入部の上平面と直交する指標線が設けられていることを特徴とする請求項２または３記載の歯科用治具。
【請求項５】
前記柱状部の上端部は、サベヤーへの装着部とされてなることを特徴とする請求項１、２、３または４記載の歯科用治具。
【考案の詳細な説明】
【技術分野】
【０００１】
この考案は、義歯の製作において使用する歯科用治具に関するものである。さらに詳しくは、この考案は、主に、磁石構造体と該磁石構造体に磁気的に吸着するキーパーとからなる歯科用磁性アタッチメントを用いた義歯（オーバーデンチャー、パーシャルデンチャー等）の製作において、ワックスアップの段階で使用する歯科用治具に関するものである。
【背景技術】
【０００２】
高齢化社会の中で義歯に関する要求は年々高まっている。特に、義歯の審美性が良好であること、着脱が容易であることが重要な点として挙げられる。このような点を考慮し、歯科用磁性アタッチメントを利用した義歯が普及している。歯科用磁性アタッチメントは、磁石構造体とキーパーとの組み合わせから成り、磁石構造体とキーパーとの間に働く磁力は、キーパーの磁気的吸着面に垂直な方向は非常に強く、磁気的吸着面に平行な方向は比較的弱い。このため、歯科用磁性アタッチメントを用いた義歯の取り外しは、磁力の弱い方向を上手く利用することで、容易に行うことができ、支台歯や歯根膜への悪影響を少なくできる。また、磁石構造体とキーパーとの磁気的吸着には方向性の制限がないことから、テレスコープ・クラウンほどの高精度を要求されず、歯科用磁性アタッチメントを利用した義歯の製作は容易である。
【０００３】
歯科用磁性アタッチメントの義歯への利用形態としては、従来より、キーパーを根面板、または、歯冠外アタッチメントに直接鋳接して固定する鋳接法が採用されている。鋳接法では、ワックスアップ等において、キーパーを蝋型の所定位置に位置付けるのに高度な熟練を要する。また、鋳接時に１，０００℃程度の熱をキーパーが受け、キーパー表面に酸化皮膜を生ずることになり、磁石構造体との十分な磁気的吸着を確保するためには、酸化皮膜を除去するとともに表面を鏡面仕上げと同等な平面精度とすることが必要となる。鋳接によりキーパーの側面および底面に形成された酸化皮膜は、除去が不可能であり、口腔内環境下で唾液による化学的作用を受け、酸化皮膜が崩壊し、隙間腐食によってキーパーが破壊したり、キーパーが脱落したりすることにもなる。また、キーパーは鋳接時に冷やし金として作用することから、キーパー辺縁で鋳造欠陥を生じやすいといった欠点等がある。
【０００４】
こういった鋳接法の欠点を解消するため、ワックスアップにおいて、キーパーよりやや大きなサイズの凹部を有する熱可塑性合成樹脂製のキーパー対応ハウジングパターンを根面板または歯冠外アタッチメントの蝋型に装着し、これを埋没材によって埋没して鋳型を得、鋳型を炉中で加熱し、キーパー対応ハウジングパターンをワックスとともに焼却揮散させ、得られた鋳造スペースに歯科用合金を鋳込み、キーパー合着用窩洞を有する根面板または歯冠外アタッチメントを鋳造し、キーパー合着用窩洞にキーパーを接着材によって合着するようにすることが特許文献１、特許文献２において提案されている。これらは、いずれも鋳接法に比べ優れたものである。
【０００５】
特許文献１に記載のキーパー対応ハウジングパターン２２は、根面板の製作に適したものであって、図１４に示されるように、凹部の内面寸法は、キーパー２３の外形寸法と鋳造された根面板の窩洞にキーパーを合着させる接着材の厚さｔに相当する厚さとを加えたものとなっている。このキーパー対応ハウジングパターン２２を使用した根面板の製作は、図１５に示されるように、耐火模型２０に根面板の蝋型２１をワックスアップし、ワックスアップされた蝋型２１のキーパーに相当する位置にキーパー対応ハウジングパターン２２を埋設させる。そして、図１６に示されるように、ワックスアップされた耐火模型２０を埋没材によって埋没し、鋳型２４を得る（埋没に際して設置するスプルー等は図示を省略している）。次いで、蝋型２１、および、キーパー対応ハウジングパターン２２を炉中で焼却揮散させ、図１７に示されるように、鋳造用スペース２７を形成させる。鋳造用スペース２７に歯科用合金を鋳込み、根面板を鋳造した後、根面板を鋳型から分離し、研磨してキーパー合着用窩洞を有する根面板を得る。根面板のキーパー合着用窩洞およびキーパーにサンドブラスト処理等を施した後、レジンセメントまたは歯科用充填材等の歯科用の接着材によってキーパーを合着する。図１８は、このようにして製作されたキーパー合着用窩洞８１ａにキーパー２３が合着された根面板８１を使用した義歯８２の一例を示している。
【０００６】
このようなキーパー対応ハウジングパターンを使用して得られる根面板においては、キーパー合着用窩洞に合着されるキーパーの磁気的吸着面が所定の方向（通常は、咬合面と平行）となるようにすることが必要であるが、キーパー対応ハウジングパターンが小さいことから、キーパー対応ハウジングパターンを蝋型に正確に装着する操作が面倒であり、また、熟練を要する。とりわけ、複数の支台歯に根面板を設ける場合、それぞれの根面板のキーパー合着用窩洞に合着されるキーパーの磁気的吸着面が同一平面上または平行平面上に位置するように、各キーパー対応ハウジングパターンを蝋型に正確に装着することは、熟練を要し、容易とはいえない。そのため、そうでない場合は、根面板の鋳造後、根面板のキーパー合着用窩洞に合着されたキーパーの磁気的吸着面が同一平面上または平行平面上に位置するよう切削等による微調整が必要となる。
【０００７】
特許文献２に記載のキーパー対応ハウジングパターン２５は、歯冠外アタッチメント（例えば、キーパーを合着した張出部を有するメタルクラウン）の製作に適したものであって、図１９に示されるように、ハウジング部２５ｂ、連結部２５ｃ、誘導部２５ｄ、保持部２５ｅを有し、ハウジング部２５ｂの凹部の内面寸法は、キーパー２３の外形寸法と鋳造された歯冠外アタッチメントの張出部の窩洞にキーパーを合着させる接着材の厚さに相当する厚さとを加えたものとなっている。このキーパー対応ハウジングパターン２５を使用したメタルクラウンの製作は、図２０に示されるように、キーパー対応ハウジングパターン２５の保持部２５ｅをサベヤーのスピンドル８に取り付け、サベヤーを用いてキーパー対応ハウジングパターン２５を耐火模型２８にワックスアップされたクラウンの蝋型２６の所定位置に位置決めし、ワックスにて仮固定することで、キーパー合着用窩洞に合着されるキーパーの磁気的吸着面が所定の方向（通常は、咬合面に平行）となるようにクラウンの蝋型２６にキーパー対応ハウジングパターン２５を装着する。そして、キーパー取付用の張出部を備えたメタルクラウンの完成形状を予測し、キーパー取付用の張出部を備えたメタルクラウンにとっての不要部分（すなわち、保持部、必要に応じ誘導部の不要部分）にマーキングを施す等して切削箇所、切削量等を決定する。
【０００８】
次いで、図２１に示されるように、キーパー対応ハウジングパターン２５をクラウンの蝋型２６から取り外し、前記の不要部分をバー８４等によって切削等して長さ等を調整する。そして、図２２に示されるように、長さ調整等されたキーパー対応ハウジングパターン２５をクラウンの蝋型２６に戻し、ワックスにて固定するとともにクラウンの蝋型２６の外形を整える。次いで、クラウンの蝋型２６にスプルー８５（図２３参照）を付け、該蝋型を耐火模型２８から取り外す。
【０００９】
そして、図２３に示されるように、キーパー対応ハウジングパターン２５が装着されたクラウンの蝋型２６を埋没材８６により埋没し（図２３（ａ）参照）、クラウンの蝋型２６とともにキーパー対応ハウジングパターン２５を焼却揮散させた後、形成された鋳型スペースに歯科用合金を鋳込み、キーパー取付用の張出部８７ａを備えたメタルクラウン８７を得る（図２３（ｂ）参照）。次いで、鋳造されたキーパー取付用の張出部８７ａを備えたメタルクラウン８７を埋没材８６から掘り出し、スプルー８５をカットし、研磨、外形確認・研削修正等をし、作業模型に戻し、サンドブラスト処理等を行った後、キーパーを張出部８７ａのキーパー合着用窩洞にレジンセメントまたは歯科用充填材等の歯科用の接着材によって合着する。そして、図２４に示すように、キーパーが合着されたメタルクラウン８７を患者の支台歯９０に歯科用接着材で合着し、口腔内で、完成した部分床義歯のメタルフレーム９１の窩洞９１ａに磁石構造体９２をレジンセメントにて合着させる。
【００１０】
このようなキーパー対応ハウジングパターンにおいては、前述したように、キーパー対応ハウジングパターン２５の保持部２５ｅをサベヤーのスピンドル８に取り付け、サベヤーを用いてキーパー対応ハウジングパターン２５を耐火模型２８にワックスアップされたクラウンの蝋型２６の所定位置に位置決めし、ワックスにて仮固定することで、キーパー合着用窩洞に合着されるキーパーの磁気的吸着面が所定の方向（通常は、咬合面と平行）となるようにクラウンの蝋型２６にキーパー対応ハウジングパターン２５を装着することが可能である。しかし、キーパー対応ハウジングパターン２５をクラウンの蝋型２６から取り外し、長さ調節等した後クラウンの蝋型２６に戻すにあたり、クラウンの蝋型から取り外される前の仮固定された位置と同じ位置に上手く戻すのには熟練を要し、元の状態に戻しきれないことが往々にして生ずる。
【００１１】
とりわけ、図２５（ａ）に示されるようなキーパー対応ハウジングパターンを右方のクラウン蝋型の遠心側に装着して製作した片側性遊離端に適した歯冠外アタッチメント、図２５（ｂ）に示されるようなキーパー対応ハウジングパターンを左右のクラウン蝋型の遠心側にそれぞれ装着して製作した両側性遊離端に適した歯冠外アタッチメント、図２５（ｃ）に示されるようなキーパー対応ハウジングパターンをそれぞれのクラウン蝋型の近心側に装着して製作した前歯部中間欠損に適した歯冠外アタッチメントや、図２５（ｄ）に示されるような一方のクラウン蝋型の遠心側、他方のクラウン蝋型の近心側に、それぞれキーパー対応ハウジングパターンを装着して製作された臼歯部中間欠損に適した歯冠外アタッチメント等において、長さ調節等されたキーパー対応ハウジングパターンが、クラウンの蝋型から取り外される前の仮固定された位置と同じ位置に上手く戻っていない場合は、問題となる。そのため、このような場合は、メタルクラウンの鋳造後、メタルクラウンのキーパー合着用窩洞に合着されたキーパーの磁気的吸着面が同一平面上または平行平面上に位置するよう切削等による微調整が必要となる。
【特許文献１】特開平１１−１３７５７５号公報（第１頁、図１〜図７）
【特許文献２】特開２００１−２９９７８１号公報（第１頁、図１〜図９）
【考案の開示】
【考案が解決しようとする課題】
【００１２】
この考案は、上記のような実情に鑑み鋭意研究の結果創案されたものであり、磁石構造体と該磁石構造体との磁気的吸着面を有するキーパーとからなる歯科用磁性アタッチメントを用いた義歯の製作において、根面板または歯冠外アタッチメントの蝋型をワックスアップする段階で、サベヤーを用いてキーパー対応ハウジングパターンを前記蝋型の所定位置に装着するのに好適な歯科用治具を提供することを目的としている。
【課題を解決するための手段】
【００１３】
上記課題を解決するために、この考案は、（１）磁石構造体と該磁石構造体との磁気的吸着面を有するキーパーとからなる歯科用磁性アタッチメントを用いた義歯の製作において、根面板または歯冠外アタッチメントの蝋型をワックスアップする段階で、サベヤーを用いてキーパー対応ハウジングパターンを前記蝋型に装着するための歯科用治具であって、前記キーパー対応ハウジングパターンの凹部に嵌入する嵌入部と、該嵌入部から上方に延設された柱状部とを具備してなることを特徴とする。
（２）前記嵌入部の上平面の中央から前記柱状部が垂直に延設されてなることが好ましい。
（３）前記嵌入部は板状であって、厚さがキーパーの厚さに相当するものであることが好ましい。
（４）前記柱状部には、前記嵌入部の上平面と直交する指標線が設けられていることが好ましい。
（５）前記柱状部の上端部は、サベヤーへの装着部とされてなることが好ましい。
【考案の効果】
【００１４】
この考案の歯科用治具は、以上説明したように構成されているので、磁石構造体と該磁石構造体との磁気的吸着面を有するキーパーとからなる歯科用磁性アタッチメントを用いた義歯の製作において、根面板または歯冠外アタッチメントの蝋型をワックスアップする段階で、サベヤーを用いてキーパー対応ハウジングパターンを前記蝋型の所定位置に迅速、正確、かつ、容易に装着することができる。
【００１５】
すなわち、根面板においては、サベヤーに保持したこの考案の歯科用治具の嵌入部をキーパー対応ハウジングパターンの凹部に嵌入させ、サベヤーを操作して、所定の段階（例えば、根面板のベース部分までを製作した段階）の根面板の蝋型にキーパー対応ハウジングパターンを設置し、引き続きワックスアップを行ってキーパー対応ハウジングパターンを埋設させることで、従来では根面板の蝋型の製作において必要とされていたキーパー対応ハウジングパターンの傾斜角度の微調整等といった煩雑で高度な歯科技工操作を行うことなく、キーパー対応ハウジングパターンを蝋型の所定位置に容易に装着することができる。そのため、得られた根面板の蝋型からサベヤーを操作して歯科用治具の嵌入部を抜き出した後、キーパー対応ハウジングパターンとともに蝋型を埋没材で埋没して鋳型を得、鋳型を炉中で加熱し、キーパー対応ハウジングパターンをワックスとともに焼却揮散させ、得られた鋳造スペースに歯科用合金を鋳込み、キーパー合着用窩洞を有する根面板を鋳造し、鋳造された根面板のキーパー合着用窩洞にキーパーを接着材によって合着することで、合着されたキーパーの磁気的吸着面が所定の方向（通常は、咬合面と平行）となり、歯科用磁性アタッチメント用のキーパーを有する根面板を迅速、確実に、かつ、容易に製作することができることになる。
【００１６】
このことは、オーバーデンチャーにおいて、複数の支台歯に根面板を設ける場合により好適である。すなわち、この考案の歯科用治具を用いてキーパー対応ハウジングパターンを、前述したようにして各根面板の蝋型に設置し、ワックスアップを行うことで、各蝋型にそれぞれのキーパー対応ハウジングパターンの凹部が同一の方向を向いた状態に装着することができる。従って、この場合、この考案の歯科用治具を用いることで得られた各根面板のキーパー合着用窩洞にキーパーを合着することで、各キーパーの磁気的吸着面を、熟練を要せず、容易に、同一平面上または平行平面上に位置させることができる。
【００１７】
歯冠外アタッチメントにおいては、例えば、特許文献２について前述したようにして、クラウンの蝋型に、それに適したキーパー対応ハウジングパターンを仮固定した後、キーパー対応ハウジングパターンをクラウンの蝋型から取り外し、完成するメタルクラウンにとって不要となる部分を切削等してから、クラウンの蝋型に戻す際、サベヤーに保持したこの考案の歯科用治具の嵌入部をキーパー対応ハウジングパターンの凹部に嵌入させ、サベヤーを操作して、キーパー対応ハウジングパターンをクラウンの蝋型から取り外される前の仮固定された位置と同じ位置に戻し、その状態において、キーパー対応ハウジングパターンをワックスにて固定し、必要に応じてクラウンの蝋型の外形を整えるようにすることで、従来ではクラウンの蝋型にキーパー対応ハウジングパターンを戻す際必要とされていた、その傾斜角度の微調整等といった煩雑で高度な歯科技工操作を経ることなく、容易、確実に、キーパー対応ハウジングパターンをクラウンの蝋型から取り外される前の仮固定された位置と同じ位置に装着することができる。そのため、得られたクラウンの蝋型から歯科用治具の嵌入部を抜き出した後、キーパー対応ハウジングパターンとともに蝋型を埋没材で埋没して鋳型を得、鋳型を炉中で加熱し、キーパー対応ハウジングパターンをワックスとともに焼却揮散させ、得られた鋳造スペースに歯科用合金を鋳込み、キーパー合着用窩洞を張出部に有するメタルクラウンを鋳造し、鋳造されたメタルクラウンの張出部のキーパー合着用窩洞にキーパーを接着材によって合着することで、合着されたキーパーの磁気的吸着面を所定の方向（通常は、咬合面と平行）とすることができ、歯科用磁性アタッチメント用のキーパーを有するメタルクラウンを迅速、確実、しかも、容易に製作することができることになる。
【００１８】
そこで、例えば、中間欠損に使用される歯冠外アタッチメントにおいては、この考案の歯科用治具を用いてキーパー対応ハウジングパターンを、各クラウンの蝋型の元の位置に前述したようにして戻すことで、各クラウンの蝋型にそれぞれのキーパー対応ハウジングパターンの凹部が同一の方向を向いた状態に装着することができる。従って、この場合、この考案の歯科用具を用いることで得られた各メタルクラウンの張出部のキーパー合着用窩洞にキーパーを合着することで、各キーパーの磁気的吸着面を、熟練を要せず、容易に、同一平面上または平行平面上に位置させることができる。
【００１９】
以上のことから明らかなように、この考案の歯科用治具を用いて製作した根面板または歯冠外アタッチメントの蝋型を用いれば、根面板また歯冠外アタッチメントの鋳造後、キーパー合着用窩洞にキーパーを合着すればよく、キーパーの磁気的吸着面を切削等をする必要がなくなる。
【考案を実施するための最良の形態】
【００２０】
以下、考案を実施するための最良の形態を示し、さらに詳しくこの考案について説明する。もちろんこの考案は以下の実施の形態によって限定されるものではない。
図１は、この考案の歯科用治具の一実施の形態を示し、（ａ）は正面図、（ｂ）は側面図、（ｃ）は平面図であり、図１から明らかなように、この歯科用治具１は、嵌入部２と柱状部３とからなるものである。
【００２１】
嵌入部２は、板状の直方体であり、上下面は、それぞれ平行な平面であって、その平面形状は、キーパー対応ハウジングパターンの凹部（従って、根面板または歯冠外アタッチメントのキーパー合着用窩洞）にほぼピッタリと嵌入できる形状を有し、厚さは、キーパーの厚さに相当するものとなっている。説明の便宜上、図１には、磁気的吸着面が平滑平面であるキーパー用のキーパー対応ハウジングパターン２２も示している。嵌入部２の厚さとキーパー対応ハウジングパターン２２の凹部２２ａの深さとの差ｔはキーパー合着用接着材の厚さに相当する。そして、嵌入部２の平面形状の寸法は、根面板の製作に適したキーパー対応ハウジングパターンとの関係で説明すると、キーパー対応ハウジングパターンの凹部の内面寸法とほぼ一致したものであり、両者のクリアランスは、本願考案者等の実験結果からすると１０〜７０μｍが好ましく、１０〜５０μｍであることが望ましい。前述した歯冠外アタッチメントのキーパー対応ハウジングパターン２５との関係でも、嵌入部２は、そのキーパー対応ハウジングパターンの凹部に対応した寸法となっていることは、根面板の製作に適したキーパー対応ハウジングパターンと同様である。嵌入部２の形状は、使用するキーパー対応ハウジングパターンの凹部の形状とほぼ同一の形状、換言すれば、使用するキーパーの形状に相似形状であればよく、図１に示した形状に限定されるものではなく、図２（ａ）〜（ｆ）に示すようなトラック形状、正方形、円形、楕円形、六角形、八角形等の適宜な形状が採用できる。嵌入部は角落としされているものであってもよい。
【００２２】
柱状部３は、丸棒状であって、嵌入部２の上面の中央から垂直に延設されている。柱状部３の上端部は、後述するようにサベヤーへの装着部とされており、該装着部をサベヤーのホルダーによって固定することで、歯科用治具１を保持するようになっている。柱状部３も丸棒状に限定されるものではなく、例えば、角柱、多角柱状等適宜の形状が採用できるが、サベヤーによって保持されるようにするには、装着部の断面形状は円形であることが好ましい。
歯科用治具は、キーパーの形状、サイズ（例えば、Ｓ、Ｍ、Ｌ）に応じて複数種類用意される。キーパーの形状、サイズに応じた歯科用治具には、区別色、サイズ記号等を施すことが好ましい。
歯科用治具は、金属とすることが好ましいが、これに限られるものではない。なお、歯科用治具が磁性金属からなり、嵌入部が磁化されていれば、キーパーキャリアとしても使用が可能である。
【００２３】
次に、図１に示す歯科用治具１の使用方法を説明する。
図３は、サベヤー４の一例を示し、基盤５に垂直支柱６が立設され、該垂直支柱６の上端部に水平回動可能に水平アーム７が取り付けられ、該水平アーム７の先端部にスピンドル８が垂直方向に摺動可能に設けられている。スピンドル８の下端は、器具ホルダー１０となっており、必要な各種の器具が固定ネジ１１で固定できるようになっている。また、水平アーム７は、水平方向に摺動可能ともなっている。水平アーム７は、ロックネジ１２によって水平回動が固定されるとともに、ロックネジ１３によって水平摺動が固定される。スピンドル８の垂直摺動は、ロックネジ１４によって固定されるようになっている。基盤５には、模型固定台１５が設置されており、該模型固定台１５には、作業模型等が２本の固定ピン１６、１６と１本の摺動ピン１７からなる模型固定機構によって固定可能となっている。模型固定台１５は、傾動機構（図示せず）によって基盤５に対し傾動可能となっている。
【００２４】
このサベヤー４を用いて、キーパー対応ハウジングパターンを装着した根面板の蝋型の製作を以下に説明する。なお、サベヤー４は、スピンドル８のホルダー１０と固定ネジ１１のみを図示している。
サベヤー４の模型固定台１５に根面板製作用の耐火模型２０（図４参照）を模型固定機構によって固定し、咬合面等を踏まえ、傾動機構を用いて基準水平面（キーパーの磁気的吸着面と平行となる。）を決定する。
そして、使用するキーパー対応ハウジングパターンに対応した歯科用治具を選択し、該歯科用治具１の装着部を、サベヤー４のスピンドル８のホルダー１０に固定ネジ１１で固定する。
キーパー対応ハウジングパターン２２の凹部２２ａに歯科用治具１の嵌入部２を嵌入させ、例えば、スティッキーワックス１９によってキーパー対応ハウジングパターン２２を仮固定させる。図４は、仮固定されたキーパー対応ハウジングパターンを示している。なお、歯科用治具１をサベヤー４に装着する前に、歯科用治具１の嵌入部２をキーパー対応ハウジングパターン２２の凹部２２ａに嵌入させ、スティッキーワックス１９によって仮固定させておき、次いで、歯科用治具１の装着部を、サベヤー４のスピンドル８のホルダー１０に固定ネジ１１で固定するようにしてもよい。
【００２５】
次いで、根面板の製作において、耐火模型２０に根面板の蝋型２１を所定の段階（図４は、根面板のベース部分までを製作した段階を示している。）までワックスアップする。図４は、歯科用治具１が、サベヤー４の操作により、根面板の蝋型２１の直上位置にある状態を示す。歯科用治具１をこのような位置にするには、サベヤー４の水平アーム７を回動させるとともに、水平移動させればよい。
そして、サベヤー４のスピンドル８を下降させ、根面板の蝋型２１の上面の所定位置に設置する（図４の二点鎖線参照）。この状態で、サベヤー４のロックネジ１２、ロックネジ１３、ロックネジ１４を締めれば、スピンドル８は、その位置、高さで固定される。
次に、ワックスアップを行って、キーパー対応ハウジングパターン２２を埋設させる。図５は、根面板の蝋型２１が製作された状態を示す。
そして、スティッキーワックス１９を取り除き、ロックネジ１４を緩め、スピンドル８を上昇させて、根面板の蝋型２１から歯科用治具１の嵌入部２を抜き出す。図６は、歯科用治具１の嵌入部２が根面板の蝋型２１から抜き出された状態を示す。次いで、ロックネジ１２、ロックネジ１３を緩めて、スピンドル８を退避位置に移動させる。
【００２６】
このように、歯科用治具１を用いれば、従来では根面板の蝋型の製作において必要とされていた、キーパー対応ハウジングパターンの傾斜角度の微調整等といった煩雑で高度な歯科技工操作を行うことなく、キーパー対応ハウジングパターンを蝋型の所定位置に容易に装着することができる。
そして、根面板の蝋型をキーパー対応ハウジングパターンとともに埋没材で埋没して鋳型を得、鋳型を炉中で加熱し、キーパー対応ハウジングパターンをワックスとともに焼却揮散させ、得られた鋳造スペースに歯科用合金を鋳込み、キーパー合着用窩洞を有する根面板を鋳造し、鋳造された根面板のキーパー合着用窩洞にキーパーを接着材によって合着することで、合着されたキーパーの磁気的吸着面を所定の方向（通常は、咬合面と平行）とすることができる。これにより、歯科用磁性アタッチメント用のキーパーを有する根面板を迅速、確実に、かつ、容易に製作することができることになる。
【００２７】
また、オーバーデンチャーにおいて、複数の支台歯に根面板の蝋型を製作する必要がある場合には、前記したと同様な歯科技工操作を耐火模型のそれぞれの支台歯に対して行って、各支台歯の根面板の蝋型にキーパー対応ハウジングパターンを埋設することで、各蝋型にそれぞれのキーパー対応ハウジングパターンの凹部が同一の方向を向いた状態に装着することができる。複数の支台歯に根面板の蝋型を製作した後の根面板の鋳造は、前記したと同様にして行えばよいことから詳細は省略する。歯科用治具を用いて複数の支台歯に根面板の蝋型を歯科用治具を用いることで得られた各根面板のキーパー合着用窩洞にキーパーを合着することで、各キーパーの磁気的吸着面を、熟練を要せず、容易に、同一平面上または平行平面上に位置させることができる。
【００２８】
なお、根面板の蝋型２１をワックスアップする途中（例えば、根面板のベース部分までを製作した段階）において、キーパー対応ハウジングパターン２２を蝋型２１上に載置し、サベヤー４の水平アーム７を所定角度回動させるとともに、所定量水平移動させて所定位置にした後、スピンドル８を下降させて、キーパー対応ハウジングパターン２２の凹部２２ａに歯科用治具１の嵌入部２を嵌入させ、その状態を維持して蝋型２１を完成させるようにしてもよい。蝋型２１が完成した後、スピンドル８を上昇させ、歯科用治具１の嵌入部２をキーパー対応ハウジングパターン２２の凹部２２ａから取り出せばよい。
【００２９】
次に、歯冠外アタッチメントのキーパー対応ハウジングパターンを装着したクラウンの蝋型の製作を説明する。
サベヤー４の模型固定台１５に歯冠外アタッチメント製作用の耐火模型２８を模型固定機構によって固定し、咬合面等を踏まえ、傾動機構を用いて基準水平面（キーパーの磁気的吸着面と平行となる。）を決定する。
そして、歯冠外アタッチメントのキーパー対応ハウジングパターン２５の保持部２５ｅをサベヤーのスピンドル８に取り付け、サベヤー４を用いてキーパー対応ハウジングパターン２５を耐火模型２８にワックスアップされたクラウンの蝋型２６の所定位置に位置決めし、仮固定する（この操作は、図２０と同様である。）。
【００３０】
次いで、キーパー対応ハウジングパターン２５をクラウンの蝋型２６から取り外し、製作するメタルクラウンにとって不要部分を切削等する。
そして、キーパー対応ハウジングパターン２５に対応した歯科用治具１を選択し、該歯科用治具１の装着部を、サベヤー４のスピンドル８の器具ホルダー１０に固定ネジ１１で固定する。
【００３１】
次いで、キーパー対応ハウジングパターン２５の凹部２５ａに歯科用治具１の嵌入部２を嵌入させ、例えば、スティッキーワックス１９によってキーパー対応ハウジングパターン２５を仮固定させる。図７は、キーパー対応ハウジングパターン２５が仮固定された歯科用治具１が、サベヤー４の操作により、クラウンの蝋型２６の直近位置にある状態を示す。歯科用治具１をこのような位置にするには、サベヤー４の水平アーム７を回動させるとともに、水平移動させればよい。なお、歯科用治具１をサベヤー４に装着する前に、歯科用治具１の嵌入部２をキーパー対応ハウジングパターン２５の凹部２５ａに嵌入させ、スティッキーワックス１９によって仮固定させておき、次いで、歯科用治具１の装着部を、サベヤー４のスピンドル８のホルダー１０に固定ネジ１１で固定するようにしてもよい。
【００３２】
そして、サベヤー４のスピンドル８の位置を微調整するとともに下降させて、キーパー対応ハウジングパターン２５をクラウンの蝋型２６から取り外される前の仮固定された位置と同じ位置に戻し、ロックネジ１２、ロックネジ１３、ロックネジ１４を締めることで、その状態を固定する（図７の２点鎖線参照）。
次に、ワックスアップ等によってキーパー対応ハウジングパターン２５をクラウンの蝋型２６に固定するとともに、必要に応じてクラウンの蝋型２６の外形を整える（図８参照）。
そして、スティッキーワックス１９を取り除き、ロックネジ１４を緩め、スピンドル８を上昇させて、クラウンの蝋型２６から歯科用治具１の嵌入部２を抜き出す。次いで、ロックネジ１２、ロックネジ１３を緩めて、スピンドル８を退避位置に移動させる。
【００３３】
このように、歯科用治具１を用いれば、従来ではキーパー対応ハウジングパターンをクラウンの蝋型から取り外される前の仮固定された位置と同じ位置に戻す際必要とされていた、キーパー対応ハウジングパターンの傾斜角度の微調整等といった煩雑で高度な歯科技工操作を行うことなく、キーパー対応ハウジングパターンをクラウンの蝋型に容易に装着することができる。
そして、クラウンの蝋型をキーパー対応ハウジングパターンとともに埋没材で埋没して鋳型を得、鋳型を炉中で加熱し、キーパー対応ハウジングパターンをワックスとともに焼却揮散させ、得られた鋳造スペースに歯科用合金を鋳込み、キーパー合着用窩洞を張出部に有するメタルクラウンを鋳造し、鋳造されたメタルクラウンの張出部のキーパー合着用窩洞にキーパーを接着材によって合着することで、合着されたキーパーの磁気的吸着面を所定の方向（通常は、咬合面と平行）とすることができる。これにより、歯科用磁性アタッチメント用のキーパーを有するメタルクラウンを迅速、確実に、かつ、容易に製作することができることになる。
【００３４】
そこで、例えば、中間欠損に使用される歯冠外アタッチメントにおいては、この考案の歯科用治具を用いてキーパー対応ハウジングパターンを、各クラウンの蝋型の元の位置に前述したようにして戻すことで、各クラウンの蝋型にそれぞれのキーパー対応ハウジングパターンの凹部が同一の方向を向いた状態に装着することができる。従って、この場合、この考案の歯科用治具を用いることで得られた各メタルクラウンの張出部のキーパー合着用窩洞にキーパーを合着することで、各キーパーの磁気的吸着面を、熟練を要せず、容易に、同一平面上または平行平面上に位置させることができる。
【００３５】
歯科用治具１を用いて、歯冠外アタッチメントのキーパー対応ハウジングパターンをクラウンの蝋型に装着する方法は、前記した方法に限られるものではなく、図１９に示されるようなハウジング部２５ｂ、連結部２５ｃ、誘導部２５ｄ、保持部２５ｅを有するキーパー対応ハウジングパターン２５に代え、例えば、保持部２５ｅを有しないキーパー対応ハウジングパターンを用いてもよい。この場合は、根面板の蝋型の製作に準じて行えばよく、以下に概略を説明する。すなわち、使用する歯冠外アタッチメント用のキーパー対応ハウジングパターンに対応した歯科用治具を選択し、該歯科用治具の装着部を、サベヤーのスピンドルのホルダーに固定ネジで固定する。そして、キーパー対応ハウジングパターンの凹部に歯科用治具の嵌入部を嵌入させ、例えば、スティッキーワックスによってキーパー対応ハウジングパターンを仮固定させる。そして、耐火模型にクラウンの蝋型を所定の段階（例えば、クラウンの概形）までワックスアップする。そして、サベヤーのスピンドルを下降させ、ロックネジをそれぞれ締めてキーパー対応ハウジングパターンをクラウンの蝋型の側部に位置決めする。次いで、ワックスアップを行って、キーパー対応ハウジングパターンをクラウンの蝋型に装着する。クラウンの蝋型が製作された後の技工操作は、図７、図８において説明したと同様であることから説明は省略する。
【００３６】
図９は、この考案の歯科用治具の他の実施形態を示す。この歯科用治具３１は、柱状部３３に嵌入部３２と直交する指標線３４を設けたものである。キーパー対応ハウジングパターンの凹部に歯科用治具３１の嵌入部３２を嵌入した時、該指標線３４と、例えば、キーパー対応ハウジングパターンの上端縁とが直交していることを確認することで嵌入状態の適否を判別することができる。
【００３７】
図１０に示す歯科用照用合具４１は、クランク状に屈曲した柱状部４３が嵌入部４２の上面の中央より右方に片寄って設けられたものである。
【００３８】
図１１に示す歯科用照用合具５１は、短い柱状部５２を有するものであって、該柱状部５２に接続部材５３を螺合できるようにしたものである。
【００３９】
図１２に示す歯科用照用合具６１は、嵌入部６２をキーパーの厚さよりも厚くしたものであって、嵌入部６２の周囲には、嵌入状態の判別用の指標線６３が設けられている。指標線６３の設定位置は、嵌入部６２底面からキーパーの厚さとキーパー合着用窩洞に合着されることになる接着材の厚さとの和に相当する高さに設定されていることが好ましい。
なお、嵌入部をキーパーの厚さと同等としても良く、この場合は、嵌入部の上面端縁が指標線の機能を果たすことになる。
【００４０】
図１３に示す歯科用治具７１は、柱状部７２の中間位置から嵌入部７３の下面に到るスリット７４が形成されたものであって、スリット７４によって嵌入部７３が左右半々に分割されており、スリット７４の基端を中心としてスリット７４の幅の分だけ弾性変形が可能となっている。説明の便宜上、図１３には、磁気的吸着面が平滑平面であるキーパー用のキーパー対応ハウジングパターン２２も示している。嵌入部７３のスリット７４に直交する方向の寸法である横幅ｄは、キーパー対応ハウジングパターン２２の凹部２２ａの内面寸法である横幅Ｄよりも稍大きく設定されており、嵌入部７３の縦幅はキーパー対応ハウジングパターン２２の凹部２２ａの縦幅よりも稍小さく、所定のクリアランスを有している。かかる構造によって、例えば、指で柱状部７２のスリット７４の幅を狭めるように弾性変形させ、嵌入部７３の横幅ｄをキーパー対応ハウジングパターン２２の凹部２２ａの横幅Ｄより小さくしてキーパー対応ハウジングパターン２２の凹部２２ａに嵌入させ、指を放せば、柱状部７２の復元する力によって、キーパー対応ハウジングパターン２２を歯科用治具７１に仮固定することができるようになっている。
【００４１】
キーパー対応ハウジングパターンを根面板または歯冠外アタッチメントの蝋型に装着した後は、再度、指で柱状部７２のスリット７４の幅を狭めるように弾性変形させて嵌入部７３の横幅ｄをキーパー対応ハウジングパターン２２の凹部２２ａの横幅Ｄより小さすることで、キーパー対応ハウジングパターン２２の凹部２２ａから嵌入部７３を容易に取り出すことができる。歯科用治具がステンレス等の金属で、柱状部の直径が２．３４ｍｍの場合、スリットの幅は０．３〜１．３ｍｍが好ましく、嵌入部７３の横幅ｄとキーパー対応ハウジングパターン２２の凹部２２ａの横幅Ｄとの差（ｄ−Ｄ）は、０．１５〜０．６５ｍｍが好ましいとの実験結果を得ている。嵌入部７３の縦幅とキーパー対応ハウジングパターン２２の凹部２２ａの縦幅とのクリアランスは、１０〜７０μｍが好ましく、１０〜５０μｍが望ましいことは、前述した歯科用治具１と同様である。
【００４２】
この歯科用治具によれば、キーパー対応ハウジングパターンの歯科用治具への仮固定等が容易であり、図１の歯科用治具に関し説明したような、キーパー対応ハウジングパターンを歯科用治具にスティッキーワックスによって仮固定したり、根面板または歯冠外アタッチメントの蝋型にキーパー対応ハウジングパターンを装着した後、スティッキーワックスを除去する必要がない利点がある。
【図面の簡単な説明】
【００４３】
【図１】この考案の歯科用治具の一実施の形態を示し、（ａ）は正面図、（ｂ）は側面図、（ｃ）は平面図である。
【図２】この考案の歯科用治具の嵌入部の他の平面形状を示す説明図である。
【図３】サベヤーの一例を示す斜視概略図である。
【図４】図１に示す歯科用治具を用いて根面板の蝋型を製作する一過程を示す説明図である。
【図５】根面板の蝋型が製作された状態を示す説明図である。
【図６】根面板の蝋型から歯科用治具が抜き出された状態を示す説明図である。
【図７】図１に示す歯科用治具を用いてクラウンの蝋型を製作する一過程を示す説明図である。
【図８】クラウンの蝋型が製作された状態を示す説明図である。
【図９】この考案の歯科用治具の他の実施の形態を示す正面図である。
【図１０】この考案の歯科用治具のさらに他の実施の形態を示す正面図である。
【図１１】この考案の歯科用治具のさらに他の実施の形態を示す正面図である。
【図１２】この考案の歯科用治具のさらに他の実施の形態を示す正面図である。
【図１３】この考案の歯科用治具のさらに他の実施の形態を示し、（ａ）は正面図、（ｂ）は側面図である。
【図１４】根面板の製作に適したキーパー対応ハウジングパターンの一例を示す説明図である。
【図１５】図１４に示したキーパー対応ハウジングパターンを使用した根面板の製作の一過程を示す説明図である。
【図１６】図１４に示したキーパー対応ハウジングパターンを使用した根面板の製作の他の過程を示す説明図である。
【図１７】図１４に示したキーパー対応ハウジングパターンを使用した根面板の製作のさらに他の過程を示す説明図である。
【図１８】図１４に示したキーパー対応ハウジングパターンを使用して製作された根面板を用いた義歯の説明図である。
【図１９】メタルクラウンの製作に適したキーパー対応ハウジングパターンの一例を示す説明図である。
【図２０】図１９に示したキーパー対応ハウジングパターンを使用したメタルクラウンの製作の一過程を示す説明図である。
【図２１】図１９に示したキーパー対応ハウジングパターンを使用したメタルクラウンの製作の他の過程を示す説明図である。
【図２２】図１９に示したキーパー対応ハウジングパターンを使用したメタルクラウンの製作のさらに他の過程を示す説明図である。
【図２３】図１９に示したキーパー対応ハウジングパターンを使用したメタルクラウンの製作のさらに他の過程を示す説明図である。
【図２４】図１９に示したキーパー対応ハウジングパターンを使用して製作されたメタルクラウンを用いた義歯の一部を破断した説明図である。
【図２５】図１９に示したキーパー対応ハウジングパターンを使用して製作されたメタルクラウンを用いた他の義歯の説明図である。
【符号の説明】
【００４４】
１  歯科用治具
２  嵌入部
３  柱状部
４  サベヤー
８  スピンドル
１０  器具ホルダー
２０、２８  耐火模型
２１、２６  蝋型
２２、２５  キーパー対応ハウジングパターン
２３  キーパー
【図１】
0003109987.tif 000003
【図２】
0003109987.tif 000004
【図３】
0003109987.tif 000005
【図４】
0003109987.tif 000006
【図５】
0003109987.tif 000007
【図６】
0003109987.tif 000008
【図７】
0003109987.tif 000009
【図８】
0003109987.tif 000010
【図９】
0003109987.tif 000011
【図１０】
0003109987.tif 000012
【図１１】
0003109987.tif 000013
【図１２】
0003109987.tif 000014
【図１３】
0003109987.tif 000015
【図１４】
0003109987.tif 000016
【図１５】
0003109987.tif 000017
【図１６】
0003109987.tif 000018
【図１７】
0003109987.tif 000019
【図１８】
0003109987.tif 000020
【図１９】
0003109987.tif 000021
【図２０】
0003109987.tif 000022
【図２１】
0003109987.tif 000023
【図２２】
0003109987.tif 000024
【図２３】
0003109987.tif 000025
【図２４】
0003109987.tif 000026
【図２５】
0003109987.tif 000027